(57)【要約】【課題】  入浴中であっても支障なく読むことができ、本としての保形性に優れ、ページをめくっても形態を損うことがなく、片手で持って楽に読むことのできる耐水性本を提供することを課題とする。【解決手段】  一側端に複数の綴じ穴４が穿設され所要の印刷が施されて各ページを構成する複数枚の合成樹脂シート２と、本として必要な枚数の前記合成樹脂シートを重ねて前記綴じ穴で綴じる綴じ具３とを有し、この綴じ具は、少くとも２つの綴じ穴にそれぞれルーズに嵌挿されて綴じ合わされるループ形状の複数の綴じ環５Ａで構成されたものである。【選択図】  図１
0003104214.tif 000002
【実用新案登録請求の範囲】
【請求項１】
一側端に複数の綴じ孔が穿設され所要の印刷が施されて各ページを構成する複数枚の合成樹脂シートと、本として必要な枚数の前記合成樹脂シートを重ねて前記綴じ穴で綴じる綴じ具とを有し、前記綴じ具は、少くとも２つの綴じ穴にそれぞれルーズに嵌挿されて綴じ合わされるループ形状の複数の綴じ環で構成されていることを特徴とする耐水性本。
【請求項２】
一側端に複数の綴じ穴が穿設され所要の印刷が施されて各ページを構成する複数枚の合成樹脂シート、本として必要な枚数の前記合成樹脂シートを重ねて前記綴じ穴で綴じる綴じ具とを有し、前記綴じ具は、少くとも２つの綴じ穴にそれぞれルーズに嵌挿されて閉じ合わされるループ形状の複数の綴じ環と、これら綴じ環を継ぐ綴じ部とで構成されていることを特徴とする耐水性本。
【請求項３】
前記綴じ具は、背表紙を構成する細長偏平形状の継ぎ部と、この継ぎ部の長手方向一側に連設され前記合成樹脂シートの綴じ穴にルーズに嵌挿されるループ形状の複数の綴じ環とが合成樹脂により一体的に構成され、前記綴じ環の自由端は前記継ぎ部の他側内面に係止されて閉じられるように構成されている請求項２記載の耐水性本。
【請求項４】
前記綴じ具は、軟質な合成樹脂により前記合成樹脂シートの綴じ穴にルーズに嵌挿され２本の紐状体の先端を閉じ合わせ自在な閉じ合わせ部とされた少なくとも２つの綴じ環と、これら綴じ環の前記閉じ合わせ部とは反対側の位置で綴じ環を継ぐ継ぎ部とで構成されている請求項２記載の耐水性本。
【請求項５】
前記綴じ具の継ぎ部が本のタイトル等を直接印刷またはシール貼りにより表示する表示部とされている請求項２〜４のいずれか１項記載の耐水性本。
【請求項６】
前記綴じ環の左右両側縁に凹凸列が形成されている請求項１〜５のいずれか１項記載の耐水性本。
【請求項７】
前記合成樹脂シートが塩化ビニールで構成され、その厚さが０．１〜０．２ｍｍである請求項１〜６のいずれか１項記載の耐水性本。
【請求項８】
前記合成樹脂シートがポリエステルで構成され、その厚さが０．１８〜０．２５ｍｍである請求項１〜６のいずれか１項記載の耐水性本。
【請求項９】
前記合成樹脂シートが紙の表面に合成樹脂をコーティングして形成されている請求項１〜６のいずれか１項記載の耐水性本。
【請求項１０】
前記合成樹脂シートにＵＶインクにより所要の印刷が施されている請求項１〜９のいずれか１項記載の耐水性本。
【請求項１１】
前記合成樹脂シートの表面にエンボス、細溝等の凹凸加工が施されている請求項１〜１０のいずれか１項記載の耐水性本。
【考案の詳細な説明】
【技術分野】
【０００１】
本考案は、浴槽やプール際等の水や湿気の多い場所において読むための耐水性本に関する。
【背景技術】
【０００２】
浴槽に長い時間ひたるとき、その時間を有効に使用するうえで入浴読書が愛好されるようになっている。
【０００３】
しかして浴槽にひたって本を読むと、浴槽から立ち昇る湯気により本が湿ってしまい、紙がしわになって本としての体裁を損ってしまう。そのため大切にしている本は浴室に持ち込むことが躊躇され、勢い廃棄してもよいような本しか読むことができなかった。
【０００４】
そこでこのような浴室等の水蒸気の多い雰囲気中であっても支障なく読める本として水際や湯際で読む本が提案されている（特許文献１）。
【０００５】
上記特許文献１に記載の本は、各ページを防水性のシートで構成し、このシートを綴じて本の形にしたものである。
【０００６】
すなわち上記特許文献に示されている本は、防水性シートを複数枚重ね合わせてその重ね合わせたシートの中央の上下２箇所を金属製の綴じ針で綴じ合わせた中綴じ構造となっている。
【０００７】
しかるに上記構造による本では、確かに各ページが防水性シートで構成されているので、水蒸気に当ってもしわになることもなく、浴槽等で読むことは可能であるが、防水性シートをその中央２箇所で綴じ針により綴じられているので、湯気に当ったりしたとき各ページが熱により変形しやすく、各ページが開らき勝手になって本としての形態を損うと同時に、ページをめくった際に安定した状態が保てにくく、両手で左右のページを押えて保持しなければならず、入浴時では極めて疲れるものとなる。
【０００８】
また入浴を済ませたあと、読み終った本が閉じ状態を保ちにくく、保管時の扱いが乱雑になって整理しにくいなどの問題点があった。
【０００９】
さらに綴じ針が金属製であるため、錆びて腐食し、合成樹脂シートを綴着する綴じ具としての機能を早期に失い、長期にわたって本の形態を保つことは不可である。
【００１０】
【特許文献１】実開平４−１１３９７４号公報
【考案の開示】
【考案が解決しようとする課題】
【００１１】
本考案は、入浴中であっても支障なく読むことができ、かつ本としての保形性に優れ、ページをめくっても形態を損うことがなく、片手で持って楽に読むことができ、耐久性に富む耐水性本を提供することを課題としている。
【課題を解決するための手段】
【００１２】
上記課題を解決する手段として本考案は、一側端に複数の綴じ穴が穿設され所要の印刷が施されて各ページを構成する複数枚の合成樹脂シートと、本として必要な枚数の前記合成樹脂シートを重ねて前記綴じ穴で綴じる綴じ具とを有し、前記綴じ具は、少くとも２つの綴じ穴にそれぞれルーズに嵌挿されて閉じ合わされるループ形状の複数の綴じ環で構成したことにある。
【００１３】
請求項２は、前記綴じ具を、少くとも２つの綴じ穴にルーズに嵌挿されて閉じ合わされるループ形状の複数の綴じ環と、これら綴じ環を継ぐ継ぎ部とで構成したものである。
【００１４】
請求項３は、前記綴じ具を、背表紙となる細長偏平形状の継ぎ部と、この継ぎ部の長手方向一側に連設され前記合成樹脂シートの綴じ穴にルーズに嵌挿されるループ形状の複数の綴じ環とを合成樹脂により形成し、前記綴じ環の自由端は前記継ぎ部の他側内面に係止して閉じられるようにしたものである。
【００１５】
請求項４は、前記綴じ具を、軟質な合成樹脂により前記合成樹脂シートの綴じ穴にルーズに嵌挿され２本の紐状体の先端を閉じ合わせ自在な閉じ合わせ部とされた少くとも２個の綴じ環と、これら綴じ環の前記閉じ合わせ部とは反対側の位置で綴じ環を継ぐ継ぎ部とで構成したことにある。
【００１６】
請求項５は、前記綴じ環を継ぐ継ぎ部を本のタイトル等を直接印刷またはシール貼りにより表示する表示部としたことにある。
【００１７】
請求項６は、前記綴じ環の左右両側縁に合成樹脂シートを安定させるための凹凸列を形成したものである。
【００１８】
請求項７〜９は、前記合成樹脂シートの材質および厚さを特定したものであり、また請求項１０は、合成樹脂シートに印刷するインクを特定したものである。
【考案の効果】
【００１９】
本考案によれば、各ページが合成樹脂シートで構成されているので、浴槽内で読んで湿ってもしわになったりすることがなく、快適に読むことができることはもとより、読み終ったページを反転させれば綴じ具の綴じ環にそってスムーズに反転し、反転した状態でも形を崩すことなく次ページへ読み進むことができる。
【００２０】
読み終ったのち本を閉じれば、整然とした保管形態とすることができ、浴室内に置いておいても湿気により形が崩れることもない。
【００２１】
請求項２によれば、綴じ具の複数の綴じ環が継ぎ部で一体的に継がれているので、各ページの合成樹脂シートが乱脈になることがなく、本としての形態を常に保ち、保管時や読書時の取り扱いを著しく安定なものとすることができる。
【００２２】
請求項３によれば、綴じ環の継ぎ部が広い面積を有する構造となるので、本の背表紙としての機能を持たせることができ、本のタイトルや著者名を表示するに適するものとすることができ、見た目にも豪華な外観の本とすることができる。
【００２３】
請求項４によれば、綴じ具の継ぎ部を表示部とすることが可能であるほか、この継ぎ部を手提げ用の吊手としても使用することができ、ファッション性を与えて手に提げて持ち歩くにも好適な本とすることができる。
【００２４】
請求項５によれば、綴じ具の綴じ環を継ぐ継ぎ部を所要の表示を施す表示部としたので、保管時の整理や管理を容易とし、所望の本を手早く取り出すことができ、特に温泉場や銭湯などにおけるサービス用の備品として用いるとき有効である。
【００２５】
請求項６によれば、合成樹脂シートをめくったのち合成樹脂シートが綴じ環内で乱りにずれ動くことがなく、手に持って読む際に合成樹脂シートがばらけずに安定した状態で読むことができる。
【００２６】
請求項７によれば、合成樹脂シートを安価に得られ、耐熱性も８０℃程度を有するので、浴槽内であっても全く問題がなく、また３００ページ（１５０枚）程度の本（単行本）であってもさほどの厚みにもならず、読書に支障をきたすこともない。
【００２７】
請求項８によれば、一層耐熱性を高め、かつ本を薄く構成することができる。
【００２８】
請求項９によれば、本としての体裁をゴージャスな感じのものとすることができる。
【００２９】
請求項１０によれば、湿気のある雰囲気中でもインクの剥れやにじみを生じることがなく、永久に保存することができる。
【００３０】
前記いずれの綴じ具も合成樹脂の成形品として形成することができるので、安価に提供することができ、特に湿気に当っても錆びることがないので、長期にわたって本としての形態を形崩れすることなく維持することができ、家庭の浴室、温泉旅館の浴場等に常設するに適するものとすることができる。
【考案を実施するための最良の形態】
【００３１】
図１〜図３は本考案による耐水性本１の基本的実施形態を示すもので、本の各ページを構成する例えば単行本形式の場合一辺が１４８ｍｍ、他辺が１０５ｍｍの矩形状をなす多数枚の合成樹脂シート２，２…と、これら合成樹脂シート２の一辺を綴じる綴じ具３とからなっている。
【００３２】
前記合成樹脂シート２は、塩化ビニールまたはポリエステル等の耐熱性を有する材料からなるシートが用いられ、その一辺（図示の実施形態では長辺、本の形態によっては短辺）に２つの綴じ穴４，４が穿設されている。
【００３３】
前記綴じ穴４，４により合成樹脂シート２を綴じる綴じ具３は、前記綴じ具４，４にルーズに嵌挿されるループ形状の綴じ環５Ａ，５Ａからなっており、この綴じ環５Ａはループの一部が切離されてその切離部分に形成された閉じ合わせ部６の係合によりリング状を保つように形成されている。
【００３４】
上記の閉じ合わせ部６は、図３（Ａ）、（Ｂ）に一列を示すように、切離部分の各端部に「Ｚ」字状の切欠６ａ，６ａが形成され、これら切欠６ａ，６ａの係合により図３（Ｂ）に示すように閉合してリング形態を保つようになされている。なおこの閉じ合わせ部６は、切離部分の一方に突起を、他方にこの突起が圧入される孔を設け、これら突起と孔との嵌着により切離端が固定されるようにしたものであってもよく、その閉じ合わせ部６の構造に関してはこれに限定されるものではない。
【００３５】
前記合成樹脂シート２を塩化ビニールシートで構成する場合は、厚さ０．１〜０．２ｍｍの範囲のものを用いるのが好ましく、ポリエステルシートで構成する場合は厚さ０．１８〜０．２５ｍｍの範囲のものを用いることが好ましい。
【００３６】
なお必要により表紙または表紙と裏表紙として前記合成樹脂シート２より厚手の合成樹脂シートを用いることができる。
【００３７】
前記綴じ環５Ａを本実施形態のように２個用いて綴じる場合、図３に一部を示しているように綴じ環５Ａ，５Ａの前記閉じ合わせ部６とは反対側を継ぎ部７Ａで一体的に結合した構成とすることができる。
【００３８】
すなわち上記継ぎ部７Ａにより綴じ環５Ａ，５Ａ間の間隔および姿勢を定めるとともに、継ぎ部７Ａの外面をシール貼り等による表示部として使用することができ、本の形態維持のうえにおいても好ましいものとすることができる。
【００３９】
図４〜図７は、他の構成による綴じ具３を用いた実施形態を示すもので、ここにおいて用いられる綴じ具３は、本の背表紙に相当する細長偏平状の継ぎ部７Ｂと、この継ぎ部７Ｂの長手方向一側に等間隔をおいて連設された複数のループ形状の綴じ環５Ｂ，５Ｂ…とで構成されている。この場合、合成樹脂シート２の一側に前記閉じ環５Ｂ，５Ｂ…のピッチに合わせてこれと同数の綴じ穴４，４…が穿設される。
【００４０】
前記継ぎ部７Ｂは、その長手方向両側部が若干カールされており、綴じ環５Ｂ，５Ｂ…の自由端５Ｂａも前記継ぎ部７Ｂの他側部の内面にそって弾性的に圧接するようカールされていて、この綴じ具３を端部から見たとき楕円形乃至は長円形状をなすように形成されている。
【００４１】
上記実施形態によれば、図７に一部を切欠して示すように、継ぎ部７Ｂが広い面積をもって合成樹脂シート２の綴じ側の端面を覆うので、本の体裁を整えることができ、またこの継ぎ部７Ｂの外面に直接印刷またはシール貼り等により本のタイトルや著者名を表示する表示部８として使用することができ、本を立てて整理収蔵する場合に所望の本を取り出しやすくすることができる利点がある。
【００４２】
図８は、継ぎ部７Ｃの各端部の綴じ環５Ｃ，５Ｃを２本の紐状のものとし、その先端の一方に頭付き突起９を、他方にこの突起９が圧入される孔１０を設け、この綴じ環の一方を合成樹脂シート２の綴じ穴４に通して前記突起９と孔１０とを嵌着して閉じ合わせることによりループ形状として綴じるようになされたものである。
【００４３】
この場合も綴じ環５Ｃ，５Ｃを継ぐ継ぎ部７Ｃに表示部８を設けることができる。またこの継ぎ部７Ｃを手提げ用の吊手として機能させることができ、手に提げて持ち歩くファッション性を与えることができる。
【００４４】
図９は、綴じ環（５Ａを代表例として示す）の左右両側縁に細かい凹凸列１１，１１が形成され、合成樹脂シート２をめくったのち合成樹脂シート２が乱りに動かないようになされたものである。
【００４５】
こうすることにより、合成樹脂シート２の綴じ状態の安定性を増し、手に持って読む際に合成樹脂シート２が勝手に動かず、持ちやすい本とすることができる。
【００４６】
前記合成樹脂シート２への印刷は、湿気や水濡れによって落ちることのないＵＶインク（紫外線照射固化インク）が用いられる。
【００４７】
また合成樹脂シート２は、紙の表面に合成樹脂をコーティングしたものであってもよい。
【００４８】
また本考案による耐水性本を浴槽の湯中や水中に落下させたとき、各ページが合成樹脂シートであるためぴったり貼り付いて剥し難くなることを防ぐようにしたい場合には、各ページを構成する合成樹脂シートの表面にエンボス、細溝等の凹凸加工を施すことができる。
【００４９】
こうすることにより、耐水性本を湯中や水中に落としても、合成樹脂シート間に微小な隙間が形成されることにより貼り付きを防ぐことができる。
【００５０】
上述したように構成される耐水性本は、小説の文庫本等として提供しても好適であるが、詰碁、詰将棋など、入浴中に思考をめぐらすような内容の本とすれば、入浴中の時間の有効利用に併せ脳の活性化にも大いに役立たせることができ、半身浴など長時間の入浴時に特に効果を発揮する本とすることができる。
【図面の簡単な説明】
【００５１】
【図１】本考案による耐水性本の一実施形態の外観を示す斜視図。
【図２】図１のＡ−Ａ断面図。
【図３】同、綴じ具の綴じ環の一例を示し、（Ａ）はその閉じ合わせ部を開いた状態、（Ｂ）は閉じた状態を示す正面図。
【図４】本考案による耐水性本の他の実施形態を示す斜視図。
【図５】図４のＢ−Ｂ断面図。
【図６】図４における綴じ具の一部の斜視図。
【図７】図４の耐水性本の背部を示す一部を切欠した斜視図。
【図８】綴じ具の他の例を示す斜視図。
【図９】同、他の例の綴じ環の正面図。
【符号の説明】
【００５２】
１  耐水性本
２  合成樹脂シート
３  綴じ具
４  綴じ穴
５Ａ，５Ｂ，５Ｃ  綴じ環
６  閉じ合わせ部
７Ａ，７Ｂ，７Ｃ  継ぎ部
８  表示部
９  頭付き突起
１０  孔
１１  凹凸列
【図１】
0003104214.tif 000003
【図２】
0003104214.tif 000004
【図３】
0003104214.tif 000005
【図４】
0003104214.tif 000006
【図５】
0003104214.tif 000007
【図６】
0003104214.tif 000008
【図７】
0003104214.tif 000009
【図８】
0003104214.tif 000010
【図９】
0003104214.tif 000011